(57)【要約】  画像処理装置（１０）は、発信条件が予め定められた特定電波を用いて、予め登録された国情報を外部へ向けて送信可能な電子機器（５０）との間で通信接続を確立する接続処理部（１５１）と、接続処理部（１５１）により通信接続が確立される電子機器（５０）から前記国情報を取得する取得処理部（１５２）と、取得処理部（１５２）により取得される前記国情報に基づいて、無線通信部（１７）から発信される電波の前記発信条件を設定する設定処理部（１５３）とを備える。
2016204177.tif 000002
【特許請求の範囲】
【請求項１】
発信条件が予め定められた特定電波を用いて、予め登録された国情報を外部へ向けて送信可能な特定電子機器との間で通信接続を確立する接続処理部と、
前記接続処理部により通信接続が確立される前記特定電子機器から前記国情報を取得する取得処理部と、
前記取得処理部により取得される前記国情報に基づいて、自装置から発信される電波の前記発信条件を設定する設定処理部と、
を備える通信装置。
【請求項２】
前記発信条件は周波数及び電波強度のいずれか一方又は両方を含む請求項１に記載の通信装置。
【請求項３】
前記特定電子機器はスマートメーターを含む請求項１に記載の通信装置。
【請求項４】
請求項１に記載の通信装置を備える電子機器。
【請求項５】
前記電子機器の仕向地を示す仕向地情報を記憶する記憶部を更に備え、
前記設定処理部は、前記接続処理部により前記特定電子機器との間の通信接続が確立されない場合に、前記仕向地情報に基づいて前記通信装置から発信される電波の前記発信条件を設定する請求項４に記載の電子機器。
【請求項６】
原稿から画像データを読取可能な画像読取部及び画像データに基づいて画像を形成可能な画像形成部のいずれか一方又は両方を備える請求項４に記載の電子機器。
【請求項７】
発信条件が予め定められた特定電波を用いて、予め登録された国情報を外部へ向けて送信可能な特定電子機器との間で通信接続を確立する第１ステップと、
前記第１ステップにより通信接続が確立される前記特定電子機器から前記国情報を取得する第２ステップと、
前記第２ステップにより取得される前記国情報に基づいて、通信装置から発信される電波の前記発信条件を設定する第３ステップと、
を含む電波設定方法。
【発明の詳細な説明】
【技術分野】
【０００１】
本発明は、通信装置、通信装置を備える電子機器、及び電波設定方法に関する。
【背景技術】
【０００２】
プリンターや複合機のような電子機器には、パーソナルコンピューターなどの外部の電子機器との間で無線によるデータ通信を実行可能な通信インターフェイスなどの通信装置が設けられることがある。ところで、通信装置が使用される国の法律などにより、周波数や電波強度などの電波の発信条件が規制される場合がある。これに対し、ＧＰＳ衛星から取得される通信装置の位置情報に基づいて、通信装置から発信される電波の発信条件を設定可能な通信装置が知られている（特許文献１参照）。
【先行技術文献】
【特許文献】
【０００３】
【特許文献１】特開２００４−３３６６３８号公報
【発明の概要】
【発明が解決しようとする課題】
【０００４】
しかしながら、ＧＰＳを利用して通信装置の位置情報を取得する場合には、ＧＰＳ衛星から送信される信号を受信する受信機が必要となる。そのため、通信装置の構成が複雑化する。【０００５】
本発明の目的は、簡素な構成で通信装置から発信される電波の発信条件を設定可能な通信装置、電子機器、及び電波設定方法を提供することにある。
【課題を解決するための手段】
【０００６】
本発明の一の局面に係る通信装置は、接続処理部と、取得処理部と、設定処理部とを備える。前記接続処理部は、発信条件が予め定められた特定電波を用いて、予め登録された国情報を外部へ向けて送信可能な特定電子機器との間で通信接続を確立する。前記取得処理部は、前記接続処理部により通信接続が確立される前記特定電子機器から前記国情報を取得する。前記設定処理部は、前記取得処理部により取得される前記国情報に基づいて、自装置から発信される電波の前記発信条件を設定する。【０００７】
本発明の他の局面に係る電子機器は、前記通信装置を備える。【０００８】
本発明の他の局面に係る電波設定方法は、以下の第１ステップ、第２ステップ、及び第３ステップを含む。前記第１ステップは、発信条件が予め定められた特定電波を用いて、予め登録された国情報を外部へ向けて送信可能な特定電子機器との間で通信接続を確立する。前記第２ステップは、前記第１ステップにより通信接続が確立される前記特定電子機器から前記国情報を取得する。前記第３ステップは、前記第２ステップにより取得される前記国情報に基づいて、通信装置から発信される電波の前記発信条件を設定する。
【発明の効果】
【０００９】
本発明によれば、簡素な構成で通信装置から発信される電波の発信条件を設定することが可能である。
【図面の簡単な説明】
【００１０】
【図１】図１は、本発明の実施形態に係る画像処理装置を含む通信システムの構成を示すブロック図である。
【図２】図２は、本発明の実施形態に係る画像処理装置の構成を示す図である。
【図３】図３は、本発明の実施形態に係る画像処理装置で実行される発信条件設定処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［通信システム１００］
本発明の実施形態に係る画像処理装置１０を含む通信システム１００は、図１に示すように、画像処理装置１０と、複数の電子機器２０と、無線中継装置３０と、複数の電子機器５０とを備える。電子機器２０は、パーソナルコンピューターなどの情報処理装置である。無線中継装置３０は、アクセスポイントなどの通信装置である。複数の電子機器２０のうちの一部は、通信ネットワーク４０を介して無線中継装置３０と接続される。電子機器５０については後述する。
【００１３】
画像処理装置１０は、無線中継装置３０を介して通信ネットワーク４０と接続されることで、通信ネットワーク４０を経由して電子機器２０との間でデータ通信を実行することが可能である。また、画像処理装置１０は、無線中継装置３０を経由することなく、電子機器２０との間で無線によるデータ通信を実行することが可能である。
【００１４】
［画像処理装置１０の概略構成］
以下、図１及び図２を参照しつつ、本発明の実施形態に係る画像処理装置１０の概略構成について説明する。ここで、図２は画像処理装置１０の構成を示す断面模式図である。
【００１５】
画像処理装置１０は、原稿から画像データを読み取るスキャン機能、及び画像データに基づいて画像を形成するプリント機能と共に、ファクシミリ機能、又はコピー機能などの複数の機能を有する複合機である。ここに、画像処理装置１０が、本発明における電子機器の一例である。なお、本発明は、スキャナー装置、プリンター装置、ファクシミリ装置、コピー機、パーソナルコンピューター、スマートフォン、タブレット端末、テレビ、空気調和器などの電子機器に適用可能である。
【００１６】
具体的に、画像処理装置１０は、図１及び図２に示すように、ＡＤＦ（自動原稿搬送装置）１１、画像読取部１２、画像形成部１３、給紙部１４、制御部１５、操作表示部１６、無線通信部１７、及び記憶部１８を備える。ここに、制御部１５及び無線通信部１７を備える装置が、本発明における通信装置の一例である。
【００１７】
ＡＤＦ１１は、原稿セット部、複数の搬送ローラー、原稿押さえ、及び排紙部を備え、画像読取部１２によって読み取られる原稿を搬送する。画像読取部１２は、原稿台、光源、複数のミラー、光学レンズ、及びＣＣＤを備え、原稿から画像データを読み取ることが可能である。
【００１８】
画像形成部１３は、画像読取部１２で読み取られた画像データ又は電子機器２０などの外部の情報処理装置から入力された画像データに基づいて、電子写真方式で画像を形成可能である。具体的に、画像形成部１３は、感光体ドラム、帯電装置、光走査装置、現像装置、転写ローラー、クリーニング装置、定着ローラー、加圧ローラー、及び排紙部を備える。そして、画像形成部１３では、給紙部１４から供給されるシートに画像が形成されて、画像形成後の前記シートが前記排紙部に排出される。
【００１９】
制御部１５は、不図示のＣＰＵ、ＲＯＭ、及びＲＡＭなどの電子部品を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは、前記ＣＰＵが実行する各種の処理の一時記憶メモリー（作業領域）として使用される揮発性の記憶装置である。制御部１５では、前記ＣＰＵにより前記ＲＯＭに予め記憶された各種の制御プログラムが実行される。これにより、画像処理装置１０が制御部１５により統括的に制御される。なお、制御部１５は、集積回路（ＡＳＩＣ）などの電子回路で構成されたものであってもよく、画像処理装置１０を統括的に制御するメイン制御部とは別に設けられた制御部であってもよい。
【００２０】
操作表示部１６は、制御部１５からの制御指示に応じて各種の情報を表示する液晶ディスプレーなどの表示部、及びユーザーの操作に応じて制御部１５に各種の情報を入力する操作キー又はタッチパネルなどの操作部を有する。
【００２１】
無線通信部１７は、外部の通信装置との間で無線によるデータ通信を実行可能な通信インターフェイスである。例えば、無線通信部１７は、無線中継装置３０との間でＩＥＥＥ８０２．１１ｎなどの無線ＬＡＮの通信規格に従った無線通信を実行することが可能である。これにより、無線通信部１７は、無線中継装置３０を介して接続される通信ネットワーク４０を経由して、通信ネットワーク４０に接続される電子機器２０との間でデータ通信を実行することが可能である。
【００２２】
また、無線通信部１７は、無線中継装置３０を介して接続される通信ネットワーク４０を経由することなく、電子機器２０との間で無線によるデータ通信を実行することが可能である。例えば、無線通信部１７は、電子機器２０との間でＷｉ―Ｆｉダイレクト（登録商標）などの無線ＬＡＮの通信規格に従った無線通信を実行することが可能である。
【００２３】
記憶部１８は、不揮発性の記憶装置である。例えば、記憶部１８は、フラッシュメモリー、ＳＳＤ（ソリッドステートドライブ）、又はＨＤＤ（ハードディスクドライブ）などの記憶装置である。
【００２４】
記憶部１８には、画像処理装置１０の仕向地を示す仕向地情報が格納される。例えば、画像処理装置１０が出荷される地域ごとに、操作表示部１６に表示される用紙サイズの表記が異なる場合がある。画像処理装置１０では、記憶部１８に格納された前記仕向地情報を用いて、操作表示部１６に表示される用紙サイズの設定を含む各種の設定が行われる。
【００２５】
例えば、前記仕向地情報は、画像処理装置１０を製造するメーカーの製造担当者等によって、画像処理装置１０の出荷時等に記憶部１８に格納される。なお、前記仕向地情報は、画像処理装置１０の初期設定時等において操作表示部１６に対するユーザー操作により入力されて、記憶部１８に格納されてもよい。
【００２６】
ところで、画像処理装置１０が使用される国の法律などにより、無線通信部１７から発信される電波の周波数や電波強度などの発信条件が規制される場合がある。例えば、ＩＥＥＥ８０２．１１ｎの無線ＬＡＮの通信規格では、通信に使用される電波の周波数帯が２．４０１ＧＨｚから２．４９５ＧＨｚまでと定められており、その周波数帯において１４チャネルが設定されている。しかし、国によって、使用可能なチャネルが制限されている場合がある。例えば、日本では使用可能なチャネルの制限はないが、アメリカでは１２チャネル〜１４チャネルの使用が制限されている。これに対し、ＧＰＳ衛星から取得される通信装置の位置情報に基づいて、通信装置から発信される電波の発信条件を設定可能な通信装置が知られている。
【００２７】
しかしながら、ＧＰＳを利用して通信装置の位置情報を取得する場合には、ＧＰＳ衛星から送信される信号を受信する受信機が必要となる。そのため、画像処理装置１０の構成が複雑化する。これに対し、本発明の実施形態に係る画像処理装置１０では、以下に説明するように、簡素な構成で無線通信部１７から発信される電波の発信条件を設定することが可能である。
【００２８】
次に、電子機器５０について説明する。電子機器５０は、他の電子機器５０などの外部の通信装置との間で無線通信を行うことが可能である。例えば、通信システム１００では、複数の電子機器５０各々が無線通信を行うことで、無線による通信ネットワークが形成されている。
【００２９】
ここで、電子機器５０は、予め登録された国情報を外部へ向けて送信することが可能である。例えば、電子機器５０は、電子機器５０の属性情報が格納される不図示の記憶装置を備える。前記国情報は、電子機器５０を製造するメーカーの製造担当者等により、前記属性情報の一部として予め前記記憶装置に格納される。これにより、前記国情報が、電子機器５０に登録される。なお、前記属性情報には、前記国情報の他に、電子機器５０の識別情報、及び電子機器５０の位置情報等が含まれる。
【００３０】
例えば、電子機器５０は、前記属性情報を含むヘッダーを有するパケットデータを生成して、生成されたパケットデータを用いて他の電子機器５０などの外部の通信装置との間でデータ通信を行う。ここに、電子機器５０が、本発明における特定電子機器の一例である。なお、電子機器５０は、外部の通信装置から送信される前記属性情報の取得要求に応じて、前記取得要求の送信元に対して前記属性情報を送信してもよい。
【００３１】
具体的に、電子機器５０は、所謂スマートメーターである。電子機器５０（つまりスマートメーター）は、設置されている施設で消費される電力使用量を計測して、計測された電力使用量を含む前記パケットデータを他の電子機器５０に送信可能に構成されている。電子機器５０から送信される前記パケットデータは、前記通信ネットワークを経由して、電力会社等に送信される。例えば、前記パケットデータの前記ヘッダーに含まれる前記属性情報は、電力会社等において顧客管理等に用いられる。なお、電子機器５０は、前記スマートメーターが備える送信機能を有するものであれば、テレビ、電話機などの電子機器であってもよい。
【００３２】
一方、画像処理装置１０の前記ＲＯＭには、前記ＣＰＵに後述の発信条件設定処理（図３のフローチャート参照）を実行させるための発信条件設定プログラムが予め記憶されている。なお、前記発信条件設定プログラムは、ＣＤ、ＤＶＤ、フラッシュメモリーなどのコンピューター読み取り可能な記録媒体に記録されており、前記記録媒体から読み取られて記憶部１８にインストールされるものであってもよい。
【００３３】
そして、制御部１５は、図１に示すように、接続処理部１５１、取得処理部１５２、及び設定処理部１５３を含む。具体的に、制御部１５は、前記ＣＰＵを用いて前記ＲＯＭに記憶されている前記発信条件設定プログラムを実行する。これにより、制御部１５は、接続処理部１５１、取得処理部１５２、及び設定処理部１５３として機能する。
【００３４】
接続処理部１５１は、発信条件が予め定められた特定電波を用いて、電子機器５０との間で通信接続を確立する。例えば、前記発信条件は周波数である。具体的に、前記特定電波は、複数の国で共通して使用可能な周波数で発信される電波である。例えば、前記特定電波は、ＩＥＥＥ８０２．１１ｎの無線ＬＡＮの通信規格で通信に使用される電波の周波数帯のうち、日本及びアメリカを含む複数の国で使用可能とされている１チャネルから１１チャネルまでの周波数帯の電波である。なお、前記発信条件は電波強度であってもよく、周波数及び電波強度の両方を含むものであってもよい。また、前記発信条件は周波数の変調方式を含むものであってもよい。
【００３５】
例えば、画像処理装置１０では、前記特定電波の周波数を示す第１設定情報が予め制御部１５の前記ＲＯＭに格納されている。接続処理部１５１は、前記第１設定情報を前記ＲＯＭから読み出して、読み出された前記第１設定情報に基づいて無線通信部１７から発信される電波の周波数を設定する。
【００３６】
そして、接続処理部１５１は、無線通信部１７に前記第１設定情報に基づいて設定された周波数の電波（前記特定電波）を発信させて、画像処理装置１０の周囲に存在する電子機器５０に向けて通信の接続要求を送信する。そして、前記接続要求を受信した電子機器５０から、画像処理装置１０に対して接続許可又は接続不許可が送信される。接続処理部１５１は、電子機器５０から前記接続許可を受信した場合に、前記接続許可を受信した旨の応答を送信する。これにより、画像処理装置１０と電子機器５０との間で通信接続が確立される。
【００３７】
取得処理部１５２は、接続処理部１５１により通信接続が確立される電子機器５０から前記国情報を取得する。例えば、取得処理部１５２は、接続処理部１５１により通信接続が確立された電子機器５０から送信される前記パケットデータの前記ヘッダーを解析して、前記ヘッダーに含まれる前記国情報を取得する。なお、取得処理部１５２は、接続処理部１５１による電子機器５０との間の通信接続の確立の際に電子機器５０から送信される前記パケットデータの前記ヘッダーを解析して、前記ヘッダーに含まれる前記国情報を取得してもよい。また、取得処理部１５２は、接続処理部１５１により通信接続が確立された電子機器５０に対して前記取得要求を送信して、前記取得要求に応じて電子機器５０から送信される前記属性情報を受信することで、前記属性情報に含まれる前記国情報を取得してもよい。
【００３８】
設定処理部１５３は、取得処理部１５２により取得される前記国情報に基づいて、無線通信部１７から発信される電波の前記発信条件を設定する。
【００３９】
例えば、画像処理装置１０では、前記国情報により示される国各々に対応する第２設定情報が予め制御部１５の前記ＲＯＭに格納されている。具体的に、前記第２設定情報は、対応する国において発信可能な電波の周波数を示す情報である。設定処理部１５３は、取得処理部１５２により取得された前記国情報に基づいて、前記ＲＯＭから前記国情報に対応する前記第２設定情報を取得する。そして、設定処理部１５３は、前記ＲＯＭから取得された前記第２設定情報に基づいて、無線通信部１７から発信される電波の周波数を設定する。
【００４０】
また、設定処理部１５３は、接続処理部１５１により電子機器５０との間の通信接続が確立されない場合に、記憶部１８に格納される前記仕向地情報に基づいて、無線通信部１７から発信される電波の前記発信条件を設定する。例えば、設定処理部１５３は、接続処理部１５１による前記接続要求の送信時から予め定められた時間が経過するまでの間に、電子機器５０からの応答が受信されない場合に、前記仕向地情報に基づいて前記発信条件を設定する。
【００４１】
例えば、画像処理装置１０では、前記仕向地情報により示される地域各々に対応する第３設定情報が予め制御部１５の前記ＲＯＭに格納されている。具体的に、前記第３設定情報は、対応する地域において発信可能な電波の周波数を示す情報である。例えば、前記仕向地情報により示される地域が複数の国を含む場合、前記第３設定情報は、対応する地域に含まれる複数の国で共通して発信可能な電波の周波数を示す情報である。設定処理部１５３は、接続処理部１５１により電子機器５０との間の通信接続が確立されない場合に、記憶部１８から前記仕向地情報を取得する。続いて、設定処理部１５３は、記憶部１８から取得された前記仕向地情報に基づいて、前記ＲＯＭから前記仕向地情報に対応する前記第３設定情報を取得する。そして、設定処理部１５３は、前記ＲＯＭから取得された前記第３設定情報に基づいて、無線通信部１７から発信される電波の周波数を設定する。
【００４２】
［発信条件設定処理］
以下、図３を参照しつつ、画像処理装置１０において制御部１５により実行される発信条件設定処理の手順の一例と共に、本発明の電波設定方法について説明する。ここで、ステップＳ１、Ｓ２・・・は、制御部１５により実行される処理手順（ステップ）の番号を表している。例えば、制御部１５は、画像処理装置１０の電源が投入された場合に、前記発信条件設定処理を実行する。なお、制御部１５は、操作表示部１６に対するユーザー操作に応じて、前記発信条件設定処理を実行してもよい。
【００４３】
＜ステップＳ１＞
まず、ステップＳ１において、制御部１５は、無線通信部１７から発信される電波の前記発信条件を前記特定電波の前記発信条件に設定する。例えば、制御部１５は、前記第１設定情報を前記ＲＯＭから読み出して、読み出された前記第１設定情報に基づいて無線通信部１７から発信される電波の周波数を設定する。
【００４４】
＜ステップＳ２＞
ステップＳ２において、制御部１５は、無線通信部１７に前記第１設定情報に基づいて設定された周波数の電波（前記特定電波）を発信させて、画像処理装置１０の周囲に存在する電子機器５０に向けて前記接続要求を送信する。
【００４５】
＜ステップＳ３＞
ステップＳ３において、制御部１５は、電子機器５０との間の通信接続が確立したか否かを判断する。例えば、制御部１５は、ステップＳ２での前記接続要求の送信時から予め定められた時間が経過するまでの間に電子機器５０からの前記接続許可が受信されて、前記接続許可を受信した旨の応答が電子機器５０に送信された場合に、電子機器５０との間の通信接続が確立したと判断する。ここに、ステップＳ１〜ステップＳ３における、電子機器５０との間の通信接続を確立するまでの一連の処理が、本発明における第１ステップの一例であって、制御部１５の接続処理部１５１により実行される。
【００４６】
ここで、制御部１５は、電子機器５０との間の通信接続が確立したと判断すると（Ｓ３のＹｅｓ側）、処理をステップＳ４に移行させる。また、電子機器５０との間の通信接続が確立したと判断されない場合（Ｓ３のＮｏ側）、制御部１５は、処理をステップＳ３１に移行させる。
【００４７】
＜ステップＳ４＞
ステップＳ４において、制御部１５は、ステップＳ３で通信接続が確立された電子機器５０から送信される前記パケットデータの前記ヘッダーを解析して、前記ヘッダーに含まれる前記国情報を取得する。ここに、ステップＳ４の処理が、本発明における第２ステップの一例であって、制御部１５の取得処理部１５２により実行される。
【００４８】
＜ステップＳ５＞
ステップＳ５において、制御部１５は、ステップＳ４で取得された前記国情報に基づいて、無線通信部１７から発信される電波の前記発信条件を設定する。ここに、ステップＳ５の処理が、本発明における第３ステップの一例であって、制御部１５の設定処理部１５３により実行される。
【００４９】
例えば、制御部１５は、ステップＳ４で取得された前記国情報に基づいて、前記ＲＯＭから前記国情報に対応する前記第２設定情報を取得する。そして、制御部１５は、前記ＲＯＭから取得された前記第２設定情報に基づいて、無線通信部１７から発信される電波の周波数を設定する。これにより、無線通信部１７から発信される電波の周波数が、画像処理装置１０が設置される国の規制に応じた周波数に設定される。
【００５０】
なお、制御部１５は、ステップＳ４で取得された前記国情報を、他の画像処理装置１０等に送信してもよい。この場合、画像処理装置１０も本発明における特定電子機器に含まれる。
【００５１】
＜ステップＳ３１＞
一方、ステップＳ３で電子機器５０との間の通信接続が確立したと判断されない場合、制御部１５はステップＳ３１の処理を実行する。ステップＳ３１において、制御部１５は、記憶部１８から前記仕向地情報を取得する。
【００５２】
＜ステップＳ３２＞
ステップＳ３２において、制御部１５は、ステップＳ３１で取得された前記仕向地情報に基づいて、無線通信部１７から発信される電波の前記発信条件を設定する。ここで、ステップＳ３１及びステップＳ３２の処理は、制御部１５の設定処理部１５３により実行される。
【００５３】
例えば、制御部１５は、ステップＳ３１で取得された前記仕向地情報に基づいて、前記ＲＯＭから前記仕向地情報に対応する前記第３設定情報を取得する。そして、制御部１５は、前記ＲＯＭから取得された前記第３設定情報に基づいて、無線通信部１７から発信される電波の周波数を設定する。これにより、無線通信部１７から発信される電波の周波数が、画像処理装置１０が設置される地域の規制に応じた周波数に設定される。
【００５４】
なお、前記仕向地情報によって示される地域が複数の国を含む地域である場合、前記ＲＯＭに格納される前記仕向地情報に対応する前記第３設定情報により示される周波数は、前記仕向地情報によって示される地域に含まれる複数の国で共通して使用可能な周波数となる。そのため、無線通信部１７から発信される電波の周波数が前記仕向地情報に基づいて設定される場合は、前記国情報に基づいて設定される場合と比較して、設定される周波数の範囲が制限されることがある。そのため、前記発信条件設定処理では、電子機器５０から前記国情報が取得されない場合に、前記仕向地情報に基づいて無線通信部１７から発信される電波の周波数が設定される。
【００５５】
このように、前記発信条件設定処理では、電子機器５０から前記国情報が取得されて、取得された前記国情報に基づいて無線通信部１７から発信される電波の前記発信条件が設定される。これにより、簡素な構成で無線通信部１７から発信される電波の前記発信条件を設定することが可能である。
【図１】
2016204177.tif 000003
【図２】
2016204177.tif 000004
【図３】
2016204177.tif 000005
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
電子機器の仕向地を示す仕向地情報を記憶する記憶部と、通信装置と、を備え、
前記通信装置は、
周波数が予め定められた特定電波を用いて、予め登録された国情報を外部へ向けて送信可能な特定電子機器との間で通信接続を確立する接続処理部と、
前記接続処理部により通信接続が確立される前記特定電子機器から前記国情報を取得する取得処理部と、
前記取得処理部により取得される前記国情報に基づいて、前記通信装置から発信される電波の周波数を前記国情報によって示される国において発信可能な電波の周波数に設定する設定処理部と、
前記仕向地情報により示される地域各々に対応する情報であって、前記地域に含まれる複数の国で共通して発信可能な電波の周波数を示す第３設定情報が格納されるＲＯＭと、
を備え、
前記設定処理部は、前記接続処理部により前記特定電子機器との間の通信接続が確立されない場合に、前記記憶部から前記仕向地情報を取得し、取得された前記仕向地情報に基づいて前記ＲＯＭから前記仕向地情報に対応する前記第３設定情報を取得し、取得された前記第３設定情報に基づいて前記通信装置から発信される電波の周波数を設定する電子機器。
【請求項２】
（削除）
【請求項３】
前記特定電子機器はスマートメーターを含む請求項１に記載の電子機器。
【請求項４】
（削除）
【請求項５】
（削除）
【請求項６】
原稿から画像データを読取可能な画像読取部及び画像データに基づいて画像を形成可能な画像形成部のいずれか一方又は両方を備える請求項１に記載の電子機器。
【請求項７】
電子機器の仕向地を示す仕向地情報を記憶する記憶部と、前記仕向地情報により示される地域各々に対応する情報であって、前記地域に含まれる複数の国で共通して発信可能な電波の周波数を示す第３設定情報が格納されるＲＯＭを有する通信装置と、を備える電子機器で実行される電波設定方法であって、
周波数が予め定められた特定電波を用いて、予め登録された国情報を外部へ向けて送信可能な特定電子機器との間で通信接続を確立する第１ステップと、
前記第１ステップにより通信接続が確立される前記特定電子機器から前記国情報を取得する第２ステップと、
前記第２ステップにより取得される前記国情報に基づいて、前記通信装置から発信される電波の周波数を前記国情報によって示される国において発信可能な電波の周波数に設定する第３ステップと、
前記第１ステップにより前記特定電子機器との間の通信接続が確立されない場合に、前記記憶部から前記仕向地情報を取得し、取得された前記仕向地情報に基づいて前記ＲＯＭから前記仕向地情報に対応する前記第３設定情報を取得し、取得された前記第３設定情報に基づいて前記通信装置から発信される電波の周波数を設定するステップと、
を含む電波設定方法。
【国際調査報告】
2016204177.tif 000006
2016204177.tif 000007
2016204177.tif 000008
2016204177.tif 000009